(57)【要約】【課題】耐衝撃性に極めて優れたポリカーボネート板等の透明樹脂板を使用しながら、衝撃や押圧力に対してもサッシ枠から脱落しない防犯サッシを提供する。【解決手段】透明樹脂板２の周縁部に金属製の脱落防止アタッチメント３が取り付けられた防犯サッシ用アタッチメント付透明樹脂板を、サッシ枠４の溝に嵌め込んで防犯サッシ１を構成して、このときの前記脱落防止アタッチメント３が透明樹脂板２を覆うのみこみしろＬ１を、サッシ枠４ののみこみしろＬ２よりも大きくなるようにした。【選択図】      図２
2004244961.tif 000002
【特許請求の範囲】
【請求項１】
透明樹脂板の周縁部が金属製の脱落防止アタッチメントで覆われて該脱落防止アタッチメントがサッシ枠内に嵌め込まれた防犯サッシであって、前記脱落防止アタッチメントは透明樹脂板を挟持するための一対の平行板からなる挟持部と透明樹脂板の端部が対向する底部とからなり、前記脱落防止アタッチメントが透明樹脂板を覆うのみこみしろがサッシ枠ののみこみしろよりも大きい防犯サッシ。
【請求項２】
前記脱落防止アタッチメントが複数の貫通孔を有し、該貫通孔においてサッシ枠とネジ止めされてなる請求項１記載の防犯サッシ。
【請求項３】
前記脱落防止アタッチメントの挟持部に複数の貫通孔を有し、サッシ枠の室内側からのみネジの締め付けが可能であって、室外側からはネジの締め付けが不可能である請求項２記載の防犯サッシ。
【請求項４】
透明樹脂板の周縁部を覆うために用いられる金属製の防犯サッシ用脱落防止アタッチメントであって、透明樹脂板を挟持するための一対の平行板からなる挟持部と透明樹脂板の端部が対向する底部とからなり、前記脱落防止アタッチメントが透明樹脂板を覆うのみこみしろが１０〜１００ｍｍである脱落防止アタッチメント。
【請求項５】
前記底部に、複数の孔が設けられた請求項４記載の脱落防止アタッチメント。
【請求項６】
前記挟持部を構成する一対の平行板の相対向する位置に複数の孔が設けられた請求項４又は５記載の脱落防止アタッチメント。
【請求項７】
透明樹脂板の周縁部を金属製の脱落防止アタッチメントで覆ってなる防犯サッシ用アタッチメント付透明樹脂板であって、前記脱落防止アタッチメントは透明樹脂板を挟持するための一対の平行板からなる挟持部と透明樹脂板の端部が対向する底部とからなり、前記脱落防止アタッチメントが透明樹脂板を覆うのみこみしろが１０ｍｍ以上である防犯サッシ用アタッチメント付透明樹脂板。
【請求項８】
前記透明樹脂板と前記挟持部を貫通する貫通孔を有する請求項７記載の防犯サッシ用アタッチメント付透明樹脂板。
【請求項９】
透明樹脂板がポリカーボネート板である請求項７又は８記載の防犯サッシ用アタッチメント付透明樹脂板。
【請求項１０】
既設のサッシを防犯サッシに改造する防犯工事施工方法であって、前記防犯サッシは透明樹脂板の周縁部が金属製の脱落防止アタッチメントで覆われて該脱落防止アタッチメントがサッシ枠内に嵌め込まれ、前記脱落防止アタッチメントは透明樹脂板を挟持するための一対の平行板からなる挟持部と透明樹脂板の端部が対向する底部とからなり、かつ前記脱落防止アタッチメントが透明樹脂板を覆うのみこみしろがサッシ枠ののみこみしろよりも大きいものであることを特徴とする防犯工事施工方法。
【発明の詳細な説明】
【０００１】
【発明の属する技術分野】
本発明は、防犯サッシ用脱落防止アタッチメント及びそれを取り付けた防犯サッシ用アタッチメント付透明樹脂板に関する。また、透明樹脂板を嵌め込んだ防犯サッシに関する。さらに、上記脱落防止アタッチメントを使用して既存のサッシを防犯サッシに改造する防犯工事施工方法に関する。
【０００２】
【従来の技術】
近年、窓を破壊して住宅やビルなどに不法侵入をする犯罪が増加している。これに対し、侵入を防止するために窓を破壊されにくくした各種の防犯サッシが提案されている。例えば、特開２０００−２０３８９５号公報（特許文献１）には、板ガラスの周辺を弾性シール材を介してサッシで囲った窓ガラスユニットにおいて、前記板ガラスは、表面圧縮応力が１２００ｋｇｆ／ｃｍ２を超える強化ガラスとすることで防犯性を高めたことを特徴とする窓ガラスユニットが記載されている。当該公報には、窓ガラスの材料としていわゆる「超強化ガラス」を使用することによって、窓ガラスが容易に破壊されないようにできる旨が記載されている。
【０００３】
一方、特開平８−２７０３３１号公報（特許文献２）には、複層ガラスの周縁部を包囲できるチャンネル状の補強材と、複層ガラスに相対してガラスに当接する内側軟質部及び複層ガラスとサッシとに当接して複層ガラスとサッシとの間をシールする外側軟質部を有していて、前記補強材の解放端部をカバーするように補強材に設けられた軟質材とを備えた脱落防止アタッチメントが、周縁部に被着されてなる脱落防止アタッチメント付き複層ガラスが記載されている。このような脱落防止アタッチメント付き複層ガラスは、そのままサッシに対して取り付けることが可能であり、取り付け作業を容易にすることができるとされている。
【０００４】
【特許文献１】
特開２０００−２０３８９５号公報
（特許請求の範囲、発明の効果、図１）
【特許文献２】
特開平８−２７０３３１号公報
（特許請求の範囲、発明の効果、図２）
【０００５】
【発明が解決しようとする課題】
しかしながら、特開２０００−２０３８９５号公報に記載されたように、超強化ガラスを使用したとしても、先端の鋭利なハンマーなどによる打撃によっては、なお破壊されるおそれが残る。また、超強化ガラスは通常のガラスに比べてかなり高価であり、広く普及させるには限界がある。これに対し、ポリカーボネートに代表される透明樹脂板は、ガラスに比べて耐衝撃性に優れ、大きな衝撃に対しても耐えられることがわかっている。例えば、銃弾を被弾した場合であっても、厚みによってはその貫通を阻止することが可能である。
【０００６】
ところが、ポリカーボネート等の透明樹脂板は柔軟性を有しているために、ガラスの代わりに使用して通常のサッシに組み込んだだけでは、衝撃や押圧力によって容易に撓んで、サッシ枠から脱落してしまうという問題があった。これに対して、透明樹脂板の脱落を防止するためにサッシ枠そのものの構造を変えることも可能であるが、それでは、既に設置されているサッシ枠に対して組み込むことは困難である。
【０００７】
近年の急速な防犯意識の高まりに呼応して、一般住宅も含めて、防犯性能の優れた窓を求める要求は高くなっている。この場合に、既に設置されているサッシ枠を廃棄して、別途新たなサッシに置き換えるのでは、防犯工事のコストが大きく上昇するし資源の無駄でもある。したがって、現在既に建物に組みつけられているサッシ枠を利用して、容易に組み込むことができ、しかも防犯性能にも極めて優れたサッシが求められている。
【０００８】
ところで、特開平８−２７０３３１号公報に記載されているように、脱落防止アタッチメント付きのガラス板を使用して、サッシ枠に組み込む方法は既に知られている。当該公報には、複層ガラスを既存のサッシ枠に対して容易に組み込めることが記載されている。しかしながら、ガラスのように可撓性のない材料を対象にした脱落防止アタッチメントであるために、これを使用したところで透明樹脂板の脱落を防止できるものではない。
【０００９】
本発明は、上記課題を解決するためになされたものであり、耐衝撃性に極めて優れたポリカーボネート板等の透明樹脂板を使用しながら、衝撃や押圧力に対してもサッシ枠から脱落しない防犯サッシを提供することを目的とするものである。また、既存のサッシに対して透明樹脂板を容易に嵌め込むことのできる脱落防止アタッチメントを提供することも本発明の目的である。また、既存のサッシに対して容易に組み込むことのできる脱落防止アタッチメント付き透明樹脂板を提供することも本発明の目的である。さらにまた、既存のサッシを上記防犯サッシに改造する防犯工事施工方法を提供することも本発明の目的である。
【００１０】
【課題を解決するための手段】
上記課題は、透明樹脂板の周縁部が金属製の脱落防止アタッチメントで覆われて該脱落防止アタッチメントがサッシ枠内に嵌め込まれた防犯サッシであって、前記脱落防止アタッチメントは透明樹脂板を挟持するための一対の平行板からなる挟持部と透明樹脂板の端部が対向する底部とからなり、前記脱落防止アタッチメントが透明樹脂板を覆うのみこみしろがサッシ枠ののみこみしろよりも大きい防犯サッシにより解決される。これにより、衝撃や押圧力を受けても透明樹脂板がサッシ枠から脱落し難い防犯性に優れたサッシを提供することが可能となる。
【００１１】
ここで、のみこみしろとは、透明樹脂板等の嵌入部材が溝に嵌め込まれた場合に、溝により嵌入部材が隠される深さをいう。のみこみしろが３０ｍｍの場合は、嵌入部材を３０ｍｍの深さまで嵌め込むことができる。例えば、図２において、脱落防止アタッチメント３が透明樹脂板２を覆うのみこみしろはＬ１であり、サッシ枠４が脱落防止アタッチメント３を覆うのみこみしろはＬ２である。一般的に、のみこみしろは大きければ大きいほど嵌入部材は脱落し難い。
【００１２】
このとき、前記脱落防止アタッチメントが複数の貫通孔を有し、該貫通孔においてサッシ枠とネジ止めされてなることが好ましい。これにより、脱落防止アタッチメントをさらに脱落し難いものとすることが可能となる。さらに、サッシ枠の室内側からのみネジの締め付けが可能であって、室外側からはネジの締め付けが不可能であることが好ましい。これにより、室外側から解体する糸口のない防犯サッシを提供することが可能となる。ここで、サッシ枠の室内側からのみネジの締め付けが可能であって、室外側からはネジの締め付けが不可能であるとは、ネジの締付け構造（ネジ溝、六角穴、ナット等）が、サッシ枠又は脱落防止アタッチメントの室内側のみに配置され、室外側にはネジの締付け構造が全く配置されていないことをいう。
【００１３】
また、上記課題は、透明樹脂板の周縁部を覆うために用いられる金属製の防犯サッシ用脱落防止アタッチメントであって、透明樹脂板を挟持するための一対の平行板からなる挟持部と透明樹脂板の端部が対向する底部とからなり、前記脱落防止アタッチメントが透明樹脂板を覆うのみこみしろが１０〜１００ｍｍである脱落防止アタッチメントを提供することによっても解決される。これにより、防犯サッシに組み込むのに好適な脱落防犯アタッチメントを提供することが可能となる。
【００１４】
このとき、前記底部に、複数の孔が設けられることが好ましい。これにより、脱落防止アタッチメント内の水抜き効果を高めることが可能となるだけでなく、その孔にボルトやビス等の固定金具を通して、脱落防止アタッチメントとサッシ枠とを固定することも可能となる。また、前記挟持部を構成する一対の平行板の相対向する位置に複数の孔が設けられることも好ましい。これにより、ボルトやビス等の固定金具を横方向（挟持部の法線方向）に通すことも可能となる。
【００１５】
さらに、上記課題は、透明樹脂板の周縁部を金属製の脱落防止アタッチメントで覆ってなる防犯サッシ用アタッチメント付透明樹脂板であって、前記脱落防止アタッチメントは透明樹脂板を挟持するための一対の平行板からなる挟持部と透明樹脂板の端部が対向する底部とからなり、前記脱落防止アタッチメントが透明樹脂板を覆うのみこみしろが１０〜１００ｍｍである防犯サッシ用アタッチメント付透明樹脂板によっても解決される。これにより、既設のサッシを防犯サッシに改造する際の作業性を向上させることが可能となる。
【００１６】
このとき、前記透明樹脂板と前記挟持部を貫通する貫通孔を有することが好ましい。これにより、その貫通孔にボルトやビス等の固定金具を通して脱落防止アタッチメントと透明樹脂板とを固定することができ、防犯サッシ用アタッチメント付透明樹脂板の一体性を高めることが可能となる。さらに、透明樹脂板がポリカーボネート板であれば、防犯サッシ用アタッチメント付透明樹脂板は、特に耐衝撃性の優れたものとなるために好ましい。
【００１７】
さらにまた、既設のサッシを防犯サッシに改造する防犯工事施工方法であって、前記防犯サッシは透明樹脂板の周縁部が金属製の脱落防止アタッチメントで覆われて該脱落防止アタッチメントがサッシ枠内に嵌め込まれ、前記脱落防止アタッチメントは透明樹脂板を挟持するための一対の平行板からなる挟持部と透明樹脂板の端部が対向する底部とからなり、かつ前記脱落防止アタッチメントが透明樹脂板を覆うのみこみしろがサッシ枠ののみこみしろよりも大きいものであることを特徴とする防犯工事施工方法によっても解決される。これにより、既存のサッシを上記防犯サッシに容易に改造することが可能となる。
【００１８】
【発明の実施の形態】
以下、図面を用いて本発明を具体的に説明する。図１は、本発明の防犯サッシの一例を示す部分破断斜視図である。図２は、図１の防犯サッシにおけるＡ−Ａ断面図である。図３は、ボルトを横方向に通すことにより脱落防止アタッチメントとサッシ枠とを固定した防犯サッシの断面図である。図４は、タップビスを縦方向に通すことにより脱落防止アタッチメントとサッシ枠とを固定した防犯サッシの断面図である。図５は、頭部が丸型のボルトを横方向に通すことにより脱落防止アタッチメントと透明樹脂板とを固定した防犯サッシ用アタッチメント付透明樹脂板の断面図である。図６は、頭部がテーパー形状のボルトを横方向に通すことにより脱落防止アタッチメントと透明樹脂板とを固定した防犯サッシ用アタッチメント付透明樹脂板の断面図である。図７と図８は、防犯サッシ用アタッチメント付透明樹脂板の一例を示す正面図である。図９と図１０は、脱落防止アタッチメントの一例を示す斜視図である。
【００１９】
図１と図２に示される防犯サッシ１は、透明樹脂板２の周縁部に脱落防止アタッチメント３を取り付けた防犯サッシ用アタッチメント付透明樹脂板をサッシ枠４に嵌め込んで構成されている。シリコーンシール７が、脱落防止アタッチメント３の端部とサッシ枠４の端部とに塗布されており、防犯サッシ１の内部に雨水等が入り込むのを防いでいる。
【００２０】
図２に示される防犯サッシ１において、サッシ枠４ののみこみしろ（Ｌ２）は８ｍｍである。窓材としてガラスを使用することを想定したサッシ枠の場合、そののみこみしろは１０ｍｍ未満に設定されることが多い。ガラスは撓みにくいために、そのような寸法であっても脱落することがないからである。そして、のみこみしろを小さくすることによって、採光面積を広くすることができるからである。
【００２１】
これに対し、脱落防止アタッチメント３が透明樹脂板２を覆うのみこみしろ（Ｌ１）は、３０ｍｍである。すなわち、Ｌ１がＬ２よりも大きな値になるように設定されている。このようにのみこみしろを大きくすることによって、ガラスに比べてはるかに撓みやすい透明樹脂板を使用した場合であっても、衝撃や押圧力による脱落を防止することができる。Ｌ１は、１０〜１００ｍｍの範囲で設定されることが好ましい。Ｌ１が１０ｍｍ未満の場合には、透明樹脂板２が脱落防止アタッチメント３から脱落するおそれがあり、より好適には１５ｍｍ以上であり、さらに好適には２０ｍｍ以上である。一方、Ｌ１が１００ｍｍを超える場合には、採光面積が狭くなり、視認性が悪化するし、防犯サッシ１自体の見た目も悪くなるおそれがある。より好適には８０ｍｍ以下であり、さらに好適には６０ｍｍ以下である。
【００２２】
本実施例の脱落防止アタッチメント３は、金属板を折り曲げて挟持部３１及び底部３２を構成するように成形されたものであるが、その加工方法はこれに限定されるものではなく、溶接等のその他の手段により同様の形状に成形されたものであってもよい。剛性の高い金属を使用しているので、透明樹脂板２が衝撃や押圧力を受けて一時的に変形しても、脱落防止アタッチメント２やサッシ枠４は変形しないため、防犯サッシ１をより脱落し難いものとすることができる。本実施例においてにおいては、強度や防錆性などを考慮して０．８ｍｍ厚のステンレスを使用している。脱落防止アタッチメント３の厚みは、好適には０．５〜３ｍｍである。厚みが０．５ｍｍ未満の場合には、強度が不足して脱落防止効果が不十分になるおそれがあり、より好適には０．７ｍｍ以上である。一方、厚みが３ｍｍを超えるとサッシ枠４に取り付けるのが困難になるおそれがあり、より好適には２ｍｍ以下である。アタッチメント３の素材は適当な剛性と強度を有する金属であれば良く、ステンレス、鋼板、アルミニウム、強化アルミニウムなどを使用することができる。このとき、意匠性を向上させるために着色を施したり、模様を付したりすることも好ましい。
【００２３】
図９と図１０に、脱落防止アタッチメント３の例を示す。図９の脱落防止アタッチメント３は、成形の寸法精度が高く、既設のサッシ枠にも容易に嵌め込むことが可能である。図１０の脱落防止アタッチメント３は、簡単に成形でき、その強度も高い。これらの脱落防止アタッチメント３は、目的のサッシ枠に丁度収まる幅に形成される。この幅は、脱落防止アタッチメント３を嵌め込むサッシ枠が、一般住宅の単層ガラス用のサッシ枠である場合には、通常９ｍｍに設定され、複層ガラス用のサッシ枠である場合には、通常２０ｍｍに設定されることが多い。
【００２４】
本発明の防犯サッシ１に使用される透明樹脂板２の素材は、一定以上の剛性と強度を有し、透明性を有しているものであれば、特に限定されない。ポリカーボネート、ポリメチルメタクリレート、硬質ポリ塩化ビニルなどが好適なものとして例示される。なかでも、ポリカーボネートが耐衝撃性に優れる点から最適である。ポリカーボネートは耐擦傷性が不十分であるので、表面にハードコートを施したものを使用することが好ましい。本実施例では、ハードコートが施されたポリカーボネート板として、三菱ガス化学株式会社製「ユーピロンＭＲ３ＧＨ」の厚さ５ｍｍのものを使用している。また、特に表面の耐擦傷性が要求される場合には、ポリメチルメタクリレートを使用することも好ましい。この場合には、他のモノマーを少量共重合したり、他の樹脂を少量ブレンドした耐衝撃性ポリメチルメタクリレートを使用することも好ましい。
【００２５】
透明樹脂板２の厚みは、好適には３〜１５ｍｍである。透明樹脂板２の厚みが３ｍｍ未満の場合には、衝撃を受けた場合に破損したり、脱落したりしやすくなり、より好適には４ｍｍ以上であり、さらに好適には５ｍｍ以上である。一方、透明樹脂板２の厚みが１５ｍｍを超える場合には、サッシ枠４に入りきらないおそれがあるし、重量が大きくなりすぎ、価格も高くなりすぎるおそれがある。より好適には１２ｍｍ以下であり、さらに好適には１０ｍｍ以下である。
【００２６】
脱落防止アタッチメント３の挟持部３１に挟まれた間隔と透明樹脂板２の厚みとの差は小さいほうが好ましい。この差は１ｍｍ以下であることが好ましく、より好適には０．５ｍｍ以下である。通常、ガラスをサッシ枠に嵌め込む場合には、ガラスが破損することを防止するために、一定以上の厚みの弾性部材を介して嵌め込むことが多いが、樹脂板の場合にはそのような弾性部材は特に必要ではない点で相違する。
【００２７】
透明樹脂板２と脱落防止アタッチメント３との間には、緩み止め部材５を配置することが好ましい。これにより、透明樹脂板２は、脱落防止アタッチメント３の内部で揺動することがなくなり、透明樹脂板２が脱落防止アタッチメント３から脱落し難くなるのと共に、透明樹脂板２のエッジを保護することが可能となる。緩み止め部材５としては、樹脂製等のシールテープを使用することが好ましい。本実施例では、トレムコ社製プレシムドグレージングテープ「トレムコ４４０」を使用している。なお、シリコーン製シーラント等を使用して緩み止めの効果を得ることも可能である。
【００２８】
透明樹脂板２の端面と脱落防止アタッチメント３の底部３２との間には、セッティングブロック６を配置することが好ましい。これにより、これらの部材間で相互にぶつかることによってサッシ枠４や透明樹脂板２が破損することを防止できるし、ガタツキを防止することもできる。セッティングブロック６は連続して配置する必要は無く、一定の間隔を隔てて配置してもよい。特に、脱落防止アタッチメント３の底部３１に水抜きのために貫通孔を配置する場合には、水抜きの障害にならないように配置することが好ましい。セッティングブロックの材質は弾性材料であって、透明樹脂板２を傷めないものであれば特に限定されず、天然ゴム、エチレンプロピレンゴム、ネオプレンゴム、シリコーンゴム、軟質ポリ塩化ビニル、ポリウレタンなどを使用することができる。
【００２９】
図３に示す防犯サッシ１は、サッシ枠４、脱落防止アタッチメント３、セッティングブロック６を横方向に貫通するようボルト８を通して、脱落防止アタッチメント３とサッシ枠４とを固定したものである。通常、ボルト８は複数個取り付けられる。この防犯サッシ１は、図１又は図２に示す防犯サッシと比較して、脱落防止アタッチメント３がサッシ枠４から脱落し難いものとなっている。ボルト８は、頭が丸型で、頭側にネジ溝や六角穴等のネジの締付け構造を有さないタイプのものであり、ナット９を締めることによって固定される。このとき、ボルト８の頭側（図の左側）が室外側となる向きにボルト８を締め付けることが好ましい。これにより、ボルト８を室外側からスパナやドライバー等の工具で外すことのできないものとすることが可能となる。頭側にネジ溝等のネジの締付け手段を有するボルトやビスを使用する場合は、頭が室内側となるように配置する。
【００３０】
図４に示す防犯サッシ１は、脱落防止アタッチメント３の底部３２、セッティングブロック６、サッシ枠４を縦方向に貫通するようにタップビス１０を通して、脱落防止アタッチメント３とサッシ枠４とを固定したものである。ビス１０を締め付ける際の作業性を考慮して、底部３２には予め貫通孔３３が１００ｍｍ間隔で設けられている。この貫通孔３３は、脱落防止アタッチメント３の内部に溜まった水を排水する排水孔としても働く。
【００３１】
図７と図８に示す防犯サッシ用アタッチメント付透明樹脂板は、樹脂製シールテープ及びシリコーン製シーラントを使用して、脱落防止アタッチメント３を透明樹脂板２の４辺に取り付けたものである。各脱落防止アタッチメント３の外縁には、シリコーンシール７を塗布している。このとき、各脱落防止アタッチメント３は所定の間隔（Ｌ３、Ｌ４）を隔てて配置している。Ｌ３とＬ４は、それぞれ１ｍｍ以上に設定されるのが好適である。ポリカーボネート等の透明樹脂は、ガラスと比較して、温度変化により生じる膨張や伸縮の度合いが大きいのが一般的だからである。これにより、透明樹脂板２が収縮した場合に、各脱落防止アタッチメント３が互いに接触するのを防ぐことが可能となる。Ｌ２やＬ３の値は、使用するポリカーボネート板の大きさやその線膨張係数を考慮して決定する。例えば、図８の防犯サッシ用アタッチメント付透明樹脂板１２において、使用する透明樹脂板２（線膨張係数を７×１０−５／Ｋとする。）の横幅が１ｍであり、脱落防止アタッチメント３の取付け時から３０℃温度が低下することを想定した場合には、横方向に２．１ｍｍ収縮することが考えられる。このため、Ｌ３は２ｍｍ（横方向に２箇所隙間があるので合計４ｍｍの隙間を形成することになる。）に設定すれば十分であろう。
【００３２】
図５に示す防犯サッシ用アタッチメント付透明樹脂板１２は、ボルト８とナット９とを使用して、脱落防止アタッチメント３を透明樹脂板２に取り付けたものである。通常、ボルト８は、脱落防止アタッチメント３に複数個取り付けられる。脱落防止アタッチメント３、緩み止め部材５、透明樹脂板２には、ボルト８を通すための貫通孔が予め設けられている。透明樹脂板２に貫通孔を設けることによる強度の低下を少なくするために、透明樹脂板２の端面から貫通孔の中心までの距離Ｌ５が、貫通孔の直径の１倍以上、好適には２．５倍以上となるように貫通孔を設けることが好ましい。同様の理由により、ボルト８を配置する間隔は５０〜５００ｍｍであることが好ましい。また、ボルト８の軸部の直径は、３〜１２ｍｍであることが好ましい。ボルト８の直径が３ｍｍより小さくては、衝撃によって容易に折れてしまうおそれがあり、直径が１２ｍｍより大きければ、透明樹脂板２に径の大きな貫通孔をあける必要が生じ、その耐久性が著しく低下するおそれがある。ボルト８は、室内側のナット９により締め付けられる。
【００３３】
図６に示す防犯サッシ用アタッチメント付透明樹脂板１２は、頭がテーパー形状のボルト１３と、ボルト１３と係合可能な留具１１とを使用して、脱落防止アタッチメント３を透明樹脂板２に取り付けたものである。ネジ溝等のネジの締付け構造は、ボルト１３の頭にのみ設けられている。脱落防止アタッチメント３の挟持部に設けられた貫通孔３３は、ボルト８と留具１１の頭が嵌入できるように予めテーパー形状に加工されている。この防犯サッシ用アタッチメント付透明樹脂板１２は、ボルトの頭やナットが脱落防止アタッチメント３の表面から突出していないため、引き違い窓に好適に使用できる。
【発明の効果】
【００３４】
本発明の防犯サッシは、衝撃や押圧力を受けてもサッシ枠から脱落しないものであるため防犯性能が極めて高い。また、本発明の脱落防止アタッチメントは、既存のサッシに対して透明樹脂板を容易に組み込むことができるため、低コストかつ容易に既存のサッシの防犯性能を高めることができる。さらにまた、本発明の防犯工事施工方法は、既存のサッシを簡単かつ低コストで防犯サッシに改造することを可能とする。
【図面の簡単な説明】
【図１】本発明の防犯サッシの一例を示す部分破断斜視図である。
【図２】図１の防犯サッシにおけるＡ−Ａ断面図である。
【図３】ボルトを横方向に通すことにより脱落防止アタッチメントとサッシ枠とを固定した防犯サッシの断面図である。
【図４】タップビスを縦方向に通すことにより脱落防止アタッチメントとサッシ枠とを固定した防犯サッシの断面図である。
【図５】頭部が丸型のボルトを横方向に通すことにより脱落防止アタッチメントと透明樹脂板とを固定した防犯サッシ用アタッチメント付透明樹脂板の断面図である。
【図６】頭部がテーパー形状のボルトを横方向に通すことにより脱落防止アタッチメントと透明樹脂板とを固定した防犯サッシ用アタッチメント付透明樹脂板の断面図である。
【図７】防犯サッシ用アタッチメント付透明樹脂板の一例を示す正面図である。
【図８】防犯サッシ用アタッチメント付透明樹脂板の一例を示す正面図である。
【図９】脱落防止アタッチメントの一例を示す斜視図である。
【図１０】脱落防止アタッチメントの一例を示す斜視図である。
【符号の説明】
１  防犯サッシ
２  透明樹脂板
３  脱落防止アタッチメント
４  サッシ枠
５  緩み止め部材
６  セッティングブロック
７  シリコーンシール
８  ボルト
９  ナット
１０  タップビス
１１  留具
１２  防犯サッシ用アタッチメント付透明樹脂板
１３  ボルト
２１  貫通孔
３１  挟持部
３２  底部
３３  貫通孔
【図１】
2004244961.tif 000003
【図２】
2004244961.tif 000004
【図３】
2004244961.tif 000005
【図４】
2004244961.tif 000006
【図５】
2004244961.tif 000007
【図６】
2004244961.tif 000008
【図７】
2004244961.tif 000009
【図８】
2004244961.tif 000010
【図９】
2004244961.tif 000011
【図１０】
2004244961.tif 000012